(57)【要約】【課題】コンタクトの配置ピッチを小さくしても、接触信頼性を保つことができるコネクタを提供する。【解決手段】ハウジングのレセプタクルコネクタに対する嵌合方向と直交するコンタクト配置方向Ａに沿ってハウジングに交互に第１コンタクトと第２コンタクトとを配置する。第１コンタクトの第１接触部５１をハウジングのコンタクト配置部３１の上面に配置し、第１コンタクトの第１折曲げ部をコンタクト配置部３１の前部に配置する。第１コンタクトの第１接続部をコンタクト配置部３１の後部に配置する。第１接続部に同軸ケーブルを接続する。第１折曲げ部と第１接続部とを連結する連結部５４をコンタクト配置部３１の下方の面に配置する。第２コンタクトの第２接続部に連なる第２接触部６１をコンタクト配置部３１の下面に配置する。コンタクト配置部３１の前部に配置される第２折曲げ部を第２接触部６１に連ねる。連結部５４のコンタクト配置方向Ａの幅を第１、第２接触部５１，６１のコンタクト配置方向Ａの幅よりも小さくした。【選択図】図２０
2011082068.tif 000002
【特許請求の範囲】
【請求項１】
板状のコンタクト配置部を有するハウジングと、
このハウジングの相手側コネクタに対する嵌合方向と直交するコンタクト配置方向に沿って前記ハウジングに交互に配置された第１、第２コンタクトとを備え、
前記第１コンタクトは、前記コンタクト配置部の一方の面に配置される第１接触部と、前記第１接触部に連なり、前記コンタクト配置部の前部に配置される第１折曲げ部と、前記コンタクト配置部の後部に配置され、接続対象物に接続される第１接続部と、前記コンタクト配置部の他方の面に配置され、前記第１折曲げ部と前記第１接続部とを連結する連結部とを有し、
前記第２コンタクトは、前記接続対象物に接続される第２接続部と、前記第２接続部に連なり、前記コンタクト配置部の他方の面に配置される第２接触部と、前記第２接触部に連なり、前記コンタクト配置部の前部に配置される第２折曲げ部とを有し、
前記連結部の前記コンタクト配置方向の幅は、前記第１、第２接触部の前記コンタクト配置方向の幅よりも小さい
ことを特徴とするコネクタ。
【請求項２】
前記第２コンタクトは、前記第２折曲げ部に連なり、前記コンタクト配置部の一方の面に配置される延長部を有し、
前記延長部の前記コンタクト配置方向の幅は、前記第１、第２接触部の前記コンタクト配置方向の幅よりも小さい
ことを特徴とする請求項１記載のコネクタ。
【請求項３】
前記第１接触部の前記コンタクト配置方向の幅と前記第２接触部の前記コンタクト配置方向の幅とは等しい
ことを特徴とする請求項１又は２記載のコネクタ。
【請求項４】
前記第１接触部の前記コンタクト配置方向の幅と前記第２接触部の前記コンタクト配置方向の幅とは等しく、
前記連結部の前記コンタクト配置方向の幅と前記延長部の前記コンタクト配置方向の幅とは等しい
ことを特徴とする請求項２記載のコネクタ。
【請求項５】
前記第１折曲げ部の前記コンタクト配置方向の幅は前記第１接触部から前記連結部へ向かって次第に小さくなり、前記第１折曲げ部の一端部の前記コンタクト配置方向の幅は前記第１接触部に等しく、前記第１折曲げ部の他端部の前記コンタクト配置方向の幅は前記連結部の幅に等しく、
前記第２折曲げ部の前記コンタクト配置方向の幅は前記第２接触部から前記延長部へ向かって次第に小さくなり、前記第２折曲げ部の一端部の前記コンタクト配置方向の幅は前記第２接触部に等しく、前記第２折曲げ部の他端部の前記コンタクト配置方向の幅は前記延長部の幅に等しい
ことを特徴とする請求項２〜４のいずれか１項記載のコネクタ。
【発明の詳細な説明】
【技術分野】
【０００１】
この発明はコネクタに関する。
【背景技術】
【０００２】
従来、ハウジングと複数の信号コンタクトとを備えるプラグ側コネクタが知られている（下記特許文献１参照）。
【０００３】
ハウジングは、複数の信号コンタクトの後述する第１、第２接触部が配置される平板状の突出部を有する。
【０００４】
複数の信号コンタクトは、ハウジングの相手側コネクタに対する嵌合方向と直交するコンタクト配置方向に沿って所定のピッチでハウジングに保持されている。各信号コンタクトは第１接触部と第２接触部とを有する。第１接触部はハウジングの突出部の上面に配置される。第２接触部は第１接触部に連なり、ハウジングの突出部の円弧状の先端面に沿うようにＵ字形に折り曲げられて突出部の下面に達する。
【０００５】
このプラグ側コネクタの相手側コネクタであるレセプタクル側コネクタは、ハウジングと複数の信号コンタクトとを有する。
【０００６】
レセプタクル側コネクタのハウジングはプラグ側コネクタのハウジングの突出部を受け容れる。
【０００７】
レセプタクル側コネクタの信号コンタクトは二股状であり、第１接触部と第２接触部とを有する。第１接触部と第２接触部とは嵌合方向でずれている。
【０００８】
プラグ側コネクタとレセプタクル側コネクタとが嵌合したとき、プラグ側コネクタの信号コンタクトの第１、第２接触部はそれぞれレセプタクル側コネクタのソケットコンタクトの第１、第２接触部に接触する。
【先行技術文献】
【特許文献】
【０００９】
【特許文献１】特開２００８−２９３９１６号公報（段落００２７〜００２９、００３２、００３３、図１）
【発明の概要】
【発明が解決しようとする課題】
【００１０】
上述のプラグ側コネクタ及びレセプタクル側コネクタの信号コンタクトの配置ピッチを小さくするには、プラグ側コネクタ及びレセプタクル側コネクタの第１、第２接触部のコンタクト配置方向の幅を小さくすればよい。
【００１１】
しかし、第１、第２接触部のコンタクト配置方向の幅を小さくし、それらの配置ピッチを小さくすると、ガタ等により、レセプタクル側コネクタの信号コンタクトの第１、第２接触部とプラグ側コネクタの信号コンタクトの第１、第２接触部との接触面積が小さくなり、接触不良を起こすおそれがある。
【００１２】
この発明はこのような事情に鑑みてなされたもので、その課題はコンタクトの配置ピッチを小さくしても、接触信頼性を保つことができるコネクタを提供することである。
【課題を解決するための手段】
【００１３】
上述の課題を解決するため請求項１記載の発明は、板状のコンタクト配置部を有するハウジングと、このハウジングの相手側コネクタに対する嵌合方向と直交するコンタクト配置方向に沿って前記ハウジングに交互に配置された第１、第２コンタクトとを備え、前記第１コンタクトは、前記コンタクト配置部の一方の面に配置される第１接触部と、前記第１接触部に連なり、前記コンタクト配置部の前部に配置される第１折曲げ部と、前記コンタクト配置部の後部に配置され、接続対象物に接続される第１接続部と、前記コンタクト配置部の他方の面に配置され、前記第１折曲げ部と前記第１接続部とを連結する連結部とを有し、前記第２コンタクトは、前記接続対象物に接続される第２接続部と、前記第２接続部に連なり、前記コンタクト配置部の他方の面に配置される第２接触部と、前記第２接触部に連なり、前記コンタクト配置部の前部に配置される第２折曲げ部とを有し、前記連結部の前記コンタクト配置方向の幅は、前記第１、第２接触部の前記コンタクト配置方向の幅よりも小さいことを特徴とする。
【００１４】
上述のように、第１接触部をコンタクト配置部の一方の面に配置し、第２接触部及び連結部をコンタクト配置部の他方の面に配置し、連結部のコンタクト配置方向の幅を第１、第２接触部のコンタクト配置方向の幅よりも小さくしたので、第１、第２接触部のコンタクト配置方向の幅を小さくせずに、第１、第２接触部の配置ピッチを小さくすることができる。
【００１５】
請求項２記載の発明は、請求項１記載のコネクタにおいて、前記第２コンタクトは、前記第２折曲げ部に連なり、前記コンタクト配置部の一方の面に配置される延長部を有し、前記延長部の前記コンタクト配置方向の幅は、前記第１、第２接触部の前記コンタクト配置方向の幅よりも小さいことを特徴とする。
【００１６】
請求項３記載の発明は、請求項１又は２記載のコネクタにおいて、前記第１接触部の前記コンタクト配置方向の幅と前記第２接触部の前記コンタクト配置方向の幅とは等しいことを特徴とする。
【００１７】
請求項４記載の発明は、請求項２記載のコネクタにおいて、前記第１接触部の前記コンタクト配置方向の幅と前記第２接触部の前記コンタクト配置方向の幅とは等しく、前記連結部の前記コンタクト配置方向の幅と前記延長部の前記コンタクト配置方向の幅とは等しいことを特徴とする。
【００１８】
請求項５記載の発明は、請求項２〜４のいずれか１項記載のコネクタにおいて、前記第１折曲げ部の前記コンタクト配置方向の幅は前記第１接触部から前記連結部へ向かって次第に小さくなり、前記第１折曲げ部の一端部の前記コンタクト配置方向の幅は前記第１接触部に等しく、前記第１折曲げ部の他端部の前記コンタクト配置方向の幅は前記連結部の幅に等しく、前記第２折曲げ部の前記コンタクト配置方向の幅は前記第２接触部から前記延長部へ向かって次第に小さくなり、前記第２折曲げ部の一端部の前記コンタクト配置方向の幅は前記第２接触部に等しく、前記第２折曲げ部の他端部の前記コンタクト配置方向の幅は前記延長部の幅に等しいことを特徴とする。
【発明の効果】
【００１９】
この発明によれば、コンタクトの配置ピッチを小さくしても、接触信頼性を保つことができる。
【図面の簡単な説明】
【００２０】
【図１】図１はこの発明の一実施形態のプラグコネクタの平面図である。
【図２】図２は図１に示すプラグコネクタの斜視図である。
【図３】図３は図１に示すプラグコネクタの底面図である。
【図４】図４は図２に示すプラグコネクタを裏返した状態を示す斜視図である。
【図５】図５は図１の部分拡大図である。
【図６】図６は図３の部分拡大図である。
【図７】図７は図１に示すプラグコネクタからカバーシェル及びケーブルを外した状態を示す斜視図である。
【図８】図８は図７に示すプラグコネクタを裏返した状態を示す斜視図である。
【図９】図９はプラグコネクタの第１、第２コンタクトを斜め上方から見た斜視図である。
【図１０】図１０は図８に示す状態のプラグコネクタの第１、第２コンタクトを斜め上方から見た斜視図である。
【図１１】図１１は図１に示すプラグコネクタの相手側コネクタであるレセプタクルコネクタの斜視図である。
【図１２】図１２は図１１に示すレセプタクルコネクタのハウジングから第１、第２コンタクトをそれぞれ１つ外した状態を示す斜視図である。
【図１３】図１３は図１２に示すレセプタクルコネクタの第１コンタクトの側面図である。
【図１４】図１４は図１２に示すレセプタクルコネクタの第２コンタクトの側面図である。
【図１５】図１５は図１に示すプラグコネクタの部分拡大正面図である。
【図１６】図１６は図１に示すプラグコネクタと図１１に示すレセプタクルコネクタとが嵌合した状態を示す平面図である。
【図１７】図１７は図１に示すプラグコネクタの背面図である。
【図１８】図１８は図１６のXVII−XVII線に沿う断面図である。
【図１９】図１９は図１６のXVIII−XVIII線に沿う断面図である。
【図２０】図２０は図１６に示すプラグコネクタの第１、第２コンタクトとレセプタクルコネクタの第１、第２コンタクトとの接触状態を示す概念図である。
【図２１】図２１は第１コンタクトと第２コンタクトの変形例とを斜め上方から見た斜視図である。
【発明を実施するための形態】
【００２１】
この発明の一実施形態のプラグコネクタを図１〜図２０に基づいて説明する。
【００２２】
図１〜図４に示すように、プラグコネクタ（コネクタ）１００はハウジング３０と複数の第１コンタクト５０と複数の第２コンタクト６０とカバーシェル７０とベースシェル８０とを備える。
【００２３】
図１、図４に示すように、第１コンタクト５０と第２コンタクト６０とはコンタクト配置方向Ａに沿って交互にハウジング３０に配置されている。
【００２４】
ハウジング３０は絶縁材料で一体成形されている。図７、図８に示すように、ハウジング３０の前部にはコンタクト配置部３１が位置し、ハウジング３０の後部にはケーブル保持部３２が位置する。この実施形態では、ハウジング３０の前部は図７、図８に向かって下側の部分であり、ハウジング３０の後部は図７、図８に向かって上側の部分である。また、図７にはハウジング３０の上面が示されており、図８にはハウジング３０の下面が示されている。
【００２５】
コンタクト配置部３１はほぼ板状である。コンタクト配置部３１はハウジング３０の嵌合方向Ｆと直交するコンタクト配置方向Ａへ延びている。コンタクト配置部３１の上面にはコンタクト配置方向Ａに沿って後述する第１コンタクト５０の第１接触部５１と第２コンタクト６０の延長部６４とが所定の間隔に交互に配置されている（図５参照）。コンタクト配置部３１の下面にはコンタクト配置方向Ａに沿って後述する第１コンタクト５０の連結部５４と第２コンタクト６０の第２接触部６１とが所定の間隔に交互に配置されている（図６参照）。
【００２６】
図７に示すように、ケーブル保持部３２はコンタクト配置部３１に連なり、コンタクト配置方向Ａに延びている。ケーブル保持部３２には複数のケーブル保持溝３２ａがコンタクト配置方向Ａに沿って所定の間隔に形成されている。
【００２７】
図９、図１０に示すように、第１コンタクト５０は第１接触部５１と第１折曲げ部５２と第１接続部５３と連結部５４とを有する。第１コンタクト５０は後述する第２コンタクト６０及びベースシェル８０とともに、１つの金属板を打抜き加工及び曲げ加工することにより形成される。
【００２８】
第１接触部５１はほぼ平板状であり、コンタクト配置部３１の上面に配置され、嵌合方向Ｆへ延びている。第１折曲げ部５２は第１接触部５１に連なる。第１折曲げ部５２はコンタクト配置部３１のほぼ円弧状の前部に沿うようにほぼ円弧状に折り曲げられている。第１接続部５３はコンタクト配置部３１の後方に位置する。ケーブル保持部３２上に配置されている（図７参照）。連結部５４はほぼ平板状であり、コンタクト配置部３１の下面に配置され、嵌合方向Ｆへ延びている。連結部５４は第１折曲げ部５２と第１接続部５３とを連結する。
【００２９】
図９、図１０に示すように、第２コンタクト６０は第２接触部６１と第２折曲げ部６２と第２接続部６３と延長部６４とを有する。
【００３０】
第２接触部６１はほぼ板状であり、コンタクト配置部３１の下面に配置され、嵌合方向Ｆへ延びている。第２折曲げ部６２は第２接触部６１に連なる。第２折曲げ部６２はコンタクト配置部３１のほぼ円弧状の前部に沿うようにほぼ円弧状に折り曲げられている。第２接続部６３は第２接触部６１に連なり、コンタクト配置部３１の後方に位置し、ケーブル保持部３２上に配置されている（図７参照）。延長部６４はほぼ平板状であり、コンタクト配置部３１の上面に配置され、嵌合方向Ｆへ延びている。延長部６４は第２折曲げ部６２に連なる。
【００３１】
第２コンタクト６０の第２接触部６１のコンタクト配置方向Ａの幅と第１コンタクト５０の第１接触部５１のコンタクト配置方向Ａの幅とは等しい。
【００３２】
第２コンタクト６０の延長部６４のコンタクト配置方向Ａの幅と第１コンタクト５０の連結部５４の幅とは等しい。
【００３３】
連結部５４及び延長部６４のコンタクト配置方向Ａの幅は第１接触部５１のコンタクト配置方向Ａの幅よりも小さい。
【００３４】
図９、図１０、図１５に示すように、第１コンタクト５０の第１折曲げ部５２の一端（第１接触部５１側）のコンタクト配置方向Ａの幅は第１接触部５１のコンタクト配置方向Ａの幅に等しく、第１コンタクト５０の第１折曲げ部５２の他端（連結部５４側）のコンタクト配置方向Ａの幅は連結部５４のコンタクト配置方向Ａの幅に等しい。また、第１折曲げ部５２のコンタクト配置方向Ａの幅はその一端から他端に向かって次第に小さくなる。
【００３５】
図９、図１０、図１５に示すように、第２コンタクト６０の第２折曲げ部６２の一端（第２接触部６１側）のコンタクト配置方向Ａの幅は第２接触部６１のコンタクト配置方向Ａの幅に等しく、第２コンタクト６０の第２折曲げ部６２の他端（延長部６４側）のコンタクト配置方向Ａの幅は延長部６４のコンタクト配置方向Ａの幅に等しい。また、第２折曲げ部６２のコンタクト配置方向Ａの幅はその一端から他端に向かって次第に小さくなる。
【００３６】
図１、図２に示すカバーシェル７０は金属板に打抜き加工及び曲げ加工を施すことによって形成されている。カバーシェル７０はハウジング３０の後部を覆う。
【００３７】
図３、図４に示すベースシェル８０は金属板に打抜き加工及び曲げ加工を施すことによって形成されている。ベースシェル８０はハウジング３０の後部に配置されている。
【００３８】
次に、プラグコネクタ１００の製造方法について簡単に説明する。まず、１枚の金属板（図示せず）に打抜き加工及び曲げ加工を施すことによって複数の第１コンタクト５０と複数の第２コンタクト６０とベースシェル８０とを形成する。このとき、すべての第１、第２コンタクト５０，６０及びベースシェル８０はキャリア（図示せず）に繋がれた状態になる。また、金属板（図示せず）に打抜き加工及び曲げ加工を施すことによってカバーシェル７０を形成する。
【００３９】
次に、キャリアによって一つに纏められた複数の第１、第２コンタクト５０，６０及びベースシェル８０を金型（図示せず）内に配置し、金型内に溶融した樹脂を充填する。このように、いわゆるモールドイン成型法（インモールド成型法）によって複数の第１、第２コンタクト５０，６０とベースシェル８０とが一部埋め込まれたハウジング３０が形成される。
【００４０】
最後に、カバーシェル７０をハウジング３０に装着する。以上の工程を経てプラグコネクタ１００の製造が完了する。
【００４１】
図１８、図１９に示すように、プラグコネクタ１００には複数の同軸ケーブル１１０が接続される。同軸ケーブル１１０をプラグコネクタ１００に接続するには、まず、同軸ケーブル１１０の絶縁体１１２を切除して中心導体１１１を露出させるとともに、被覆１１４を切除して外部導体１１３を露出させる。
【００４２】
次に、複数の同軸ケーブル１１０の外部導体１１３を２つのグランドバー９０で挟み、外部導体１１３をグランドバー９０に半田付けする。
【００４３】
その後、外部導体１１３が半田付けされたグランドバー９０を、カバーシェル７０を外したプラグコネクタ１００のハウジング３０の後部に配置する。
【００４４】
次に、複数の同軸ケーブル１１０の中心導体１１１を第１コンタクト５０の第１接続部５３又は第２コンタクト６０の第２接続部６３に半田付けする。
【００４５】
最後に、カバーシェル７０をハウジング３０に装着する。以上の工程を経て同軸ケーブル１１０がプラグコネクタ１００に接続される。
【００４６】
次に、プラグコネクタ１００の相手側コネクタであるレセプタクルコネクタ２００について説明する。
【００４７】
図１１、図１２に示すように、レセプタクルコネクタ２００はハウジング２３０と第１コンタクト２５０と第２コンタクト２６０とベースシェル２８０とを有する。
【００４８】
ハウジング２３０は箱状であり、プラグコネクタ１００のハウジング３０のコンタクト配置部３１を受け入れる。
【００４９】
図１３に示すように、第１コンタクト２５０は第１接触部２５１と第１接続部２５３と第１圧入部２５５とを有する。第１コンタクト２５０はＬ字形のばね部２５１ａとばね部２５１ａの先端部に形成された接点２５１ｂとを有する。第１接続部２５３はばね部２５１ａの後端部に連なる。第１圧入部２５５はばね部２５１ａの後端部に連なる。
【００５０】
図１４に示すように、第２コンタクト２６０は第２接触部２６１と第２接続部２６３と第２圧入部２６５とを有する。第２接触部２６１は直線的に延びたばね部２６１ａとばね部２６１ａの先端部に形成された接点２６１ｂとを有する。第２接続部２６３は第２圧入部２６５の後端部に連なる。第２圧入部２６５は第２接触部２６１の後端部に連なる。
【００５１】
図１１、図１２に示すように、ベースシェル２８０の一部はいわゆるモールドイン成型法（インモールド成型法）によってハウジング２３０に埋設されている。
【００５２】
レセプタクルコネクタ２００の第１コンタクト２５０の第１接続部２５３及び第２コンタクト２６０の第２接続部２６３は図示しないプリント基板のパッドに半田付けされる。
【００５３】
プラグコネクタ１００をレセプタクルコネクタ２００に接続するには、図１８、図１９に示すように、プラグコネクタ１００のハウジング３０のコンタクト配置部３１をレセプタクルコネクタ２００のハウジング２３０に挿入すればよい。
【００５４】
図１８、図１９、図２０に示すように、プラグコネクタ１００とレセプタクルコネクタ２００とが嵌合されているとき、プラグコネクタ１００の第１コンタクト５０の第１接触部５１はレセプタクルコネクタ２００の第１コンタクト２５０の第１接触部２５１に接触し、プラグコネクタ１００の第２コンタクト６０の第２接触部６１はレセプタクルコネクタ２００の第２コンタクト２６０の第２接触部２６１に接触する。
【００５５】
この実施形態では、上述のように第１、第２コンタクト５０，６０の第１、第２接続部５３，６３から延びている部分は全てコンタクト配置部３１の下面側から上面側に向けて配置されており、また、第１接触部５１及び延長部６４をコンタクト配置部３１の上面に配置し、第２接触部６１及び連結部５４をコンタクト配置部３１の下面に配置し、連結部５４及び延長部６４のコンタクト配置方向Ａの幅を第１、第２接触部５１，６１のコンタクト配置方向Ａの幅よりも小さくしたので、第１、第２接触部５１，６１のコンタクト配置方向Ａの幅を小さくせずに、第１、第２接触部５１，６１の配置ピッチを小さくすることができる。したがって、プラグコネクタ１００をレセプタクルコネクタ２００に嵌合したとき、プラグコネクタ１００の第１、第２接触部５１，６１の中心がレセプタクルコネクタ２００の第１、第２接触部２５１，２６１の中心に対してコンタクト配置方向Ａへずれても、第１、第２接触部５１，６１と第１、第２接触部２５１，２６１との接触面積は変化しないので、安定した接触状態が確保される。
【００５６】
この実施形態によれば、プラグコネクタ１００の第１、第２接触部５１，６１とレセプタクルコネクタ２００の第１、第２接触部２５１，２６１との接触信頼性を低下させずに、プラグコネクタ１００の第１、第２接触部５１，６１の狭ピッチ化を図ることができる。
【００５７】
また、狭ピッチ化しても第１コンタクト５０と第２コンタクト６０のコンタクト配置方向Ａの幅が小さくならないので、接触が安定する。更に、第１コンタクト５０と第２コンタクト６０との間隔を保つことができ、金型を用いてハウジング３０を成形する際に、第１、第２接触部５１，６１と連結部５４、延長部６１を金型で保持することができ、コンタクトがコンタクト配置方向Ａとこれに直交する（厚さ方向）の両方向への倒れこみ等が小さくなり、コンタクトの姿勢が安定し、コンタクト間のピッチ精度が良くなる。
【００５８】
また、相手側コネクタを嵌合する際、第１、第２折曲げ部５２，６２の構成により、相手側コンタクトの端部が第１、第２折曲げ部５２，６２に最初に当接するので、ハウジングが削れる等の虞がなくなる。更に、第２コンタクト６０に延長部６４を設けたので、第２接触部６１がコンタクト配置部３１から外れるのをより確実に防止することができる。
【００５９】
なお、上述の実施形態では、第２コンタクト６０に延長部６４が設けられているが、図２１に示すように、第２コンタクト６０の変形例である第２コンタクト６０´は延長部６４が設けられていない。
【００６０】
また、第１接触部５１のコンタクト配置方向Ａの幅と第２接触部６１のコンタクト配置方向Ａの幅とを等しくしたが、等しくしなくてもよい。
【００６１】
なお、連結部５４のコンタクト配置方向Ａの幅と延長部６４のコンタクト配置方向Ａの幅とを等しくしたが、等しくしなくてもよい。
【００６２】
また、第１折曲げ部５２のコンタクト配置方向Ａの幅を第１接触部５１から連結部５４に向かって次第に小さくし、第１折曲げ部５２の一端のコンタクト配置方向Ａの幅を第１接触部５１に等しくし、第１折曲げ部５２の他端のコンタクト配置方向Ａの幅を連結部５４に等しくし、第２折曲げ部６２のコンタクト配置方向Ａの幅を第２接触部６１から延長部６４に向かって次第に小さくし、第２折曲げ部６２の一端のコンタクト配置方向Ａの幅を第２接触部６１に等しくし、第２折曲げ部６２の他端のコンタクト配置方向Ａの幅を延長部６４に等しくしたが、必ずしもこのようにする必要はない。
【符号の説明】
【００６３】
１００  プラグコネクタ（コネクタ）
３０  ハウジング
３１  コンタクト配置部
５０  第１コンタクト
５１  第１接触部
５２  第１折曲げ部
５３  第１接続部
５４  連結部
６０  第２コンタクト
６１  第２接触部
６２  第２折曲げ部
６３  第２接続部
６４  延長部
１１０  同軸ケーブル（接続対象物）
２００  レセプタクルコネクタ（相手側コネクタ）
Ｆ  嵌合方向
Ａ  コンタクト配置方向
【図１】
2011082068.tif 000003
【図２】
2011082068.tif 000004
【図３】
2011082068.tif 000005
【図４】
2011082068.tif 000006
【図５】
2011082068.tif 000007
【図６】
2011082068.tif 000008
【図７】
2011082068.tif 000009
【図８】
2011082068.tif 000010
【図９】
2011082068.tif 000011
【図１０】
2011082068.tif 000012
【図１１】
2011082068.tif 000013
【図１２】
2011082068.tif 000014
【図１３】
2011082068.tif 000015
【図１４】
2011082068.tif 000016
【図１５】
2011082068.tif 000017
【図１６】
2011082068.tif 000018
【図１７】
2011082068.tif 000019
【図１８】
2011082068.tif 000020
【図１９】
2011082068.tif 000021
【図２０】
2011082068.tif 000022
【図２１】
2011082068.tif 000023